(57)【要約】【課題】護岸ブロックや整備ブロック、漁礁としても適用でき、しかも、強度を確保しつつ低コストで製造できる上に、施工現場で発生した石、土砂などの建設副産物等を再利用可能として、全体的な自然環境にも貢献できる生物生息空間を有するブロックとそのブロックを用いたブロック壁構造を提供すること。【解決手段】上面に口部１０１を凹設し、その外観形状が略Ｖ字状に形成すると共に、この略Ｖ字状を形成する側壁１０２上面のそれぞれの縁部１０３の幅は、平面状に形成された底面１０４と縁部１０３とが載承関係となるように形成する。そして複数の当該ブロック１を千鳥配列状に積み重ねて構築する。【選択図】        図１４
2004324373.tif 000002
【特許請求の範囲】
【請求項１】
上面に生物生息可能な口部が凹設されると共に底面が該上面の縁部と載承関係に平面状に形成されて、千鳥配列状に積み重ね可能に構成されたことを特徴とする生物生息空間を有するブロック。
【請求項２】
縦断面視略Ｖ字状に形成されたことを特徴とする請求項１記載の生物生息空間を有するブロック。
【請求項３】
前記略Ｖ字状を形成する構成壁と直交する側壁の一方を開口して平面視略コ字状に形成したことを特徴とする請求項２記載の生物生息空間を有するブロック。
【請求項４】
前記構成壁の中途部を上面から切り欠くように凹部を形成したことを特徴とする請求項３記載の生物生息空間を有するブロック。
【請求項５】
前記略Ｖ字状を形成する構成壁と直交する両側壁を開口して平面視略ニ字状に形成したことを特徴とする請求項２記載の生物生息空間を有するブロック。
【請求項６】
縦断面視略コ字状に形成されたことを特徴とする請求項１記載の生物生息空間を有するブロック。
【請求項７】
前記略コ字状を形成する構成壁と直交する側壁の一方を開口して平面視略コ字状に形成したことを特徴とする請求項６記載の生物生息空間を有するブロック。
【請求項８】
前記略コ字状を形成する構成壁と直交する両側壁を開口して平面視略ニ字状に形成したことを特徴とする請求項６記載の生物生息空間を有するブロック。
【請求項９】
生物生息可能な口部が凹設され、底面が該上面の縁部と載承関係に平面状に形成されると共に縦断面視略Ｌ字状に形成されたことを特徴とする生物生息空間を有するブロック。
【請求項１０】
前記略Ｌ字状を形成する構成壁と直交する側壁の一方を開口して平面視略Ｌ字状に形成したことを特徴とする請求項９記載の生物生息空間を有するブロック。
【請求項１１】
前記開口した一方の側壁と対向する他方の側壁に、該口部内と連通する連通孔を設けたことを特徴とする請求項３、７、１０のいずれか記載の生物生息空間を有するブロック。
【請求項１２】
普通コンクリートで構成されていることを特徴とする請求項１〜１１のいずれか記載の生物生息空間を有するブロック。
【請求項１３】
前記口部内に間隙形成可能な骨部材を充填してなることを特徴とする請求項１〜１２のいずれかに記載の生物生息空間を有するブロック。
【請求項１４】
前記口部内に骨部材を充填して形成された間隙は、該口部内上部から下部に向って小さく形成されていることを特徴とする請求項１３に記載の生物生息空間を有するブロック。
【請求項１５】
前記口部内に骨部材を充填して形成された間隙は、該口部内上部から下部に向って大きく形成されていることを特徴とする請求項１３に記載の生物生息空間を有するブロック。
【請求項１６】
請求項１〜１５のいずれか記載の生物生息空間を有するブロックを適宜おりまぜて、前記生物生息空間を有するブロック同士間に空間部が適宜形成されるように千鳥配列状に積み重ね構築されたことを特徴とするブロック壁構造。
【請求項１７】
前記骨部材を土砂などの植物生息可能な部材にし、該骨部材を請求項４記載の生物生息空間を有するブロックの前記口部内と前記凹部内に充填して、河川や湖沼、海などの水面上に該ブロックを位置させて植物の植生域としたと共に、水面下に位置させた前記生物生息空間を有するブロックを魚類などの水生生物の生息域とした護岸用に構成したことを特徴とする請求項１６記載のブロック壁構造。
【発明の詳細な説明】
【０００１】
【発明の属する技術分野】
この発明は、河川整備や漁礁等に用いられる生物生息空間を有するブロック及びそのブロックを用いた構築方法に関する。
【０００２】
【従来の技術】
現在、動植物の生息・育成に配慮した多自然型川づくりに関して、さまざまな視点から調査・研究が進められている。
河川整備においては、洪水から人々の暮らしと財産を守るために、あたり一面がコンクリートで露出した旧来の護岸ブロックによる施工が一般的であったが、上記したように、河川の自然環境の保全・復元も重要な課題となった現在、植物が植生し得るポーラスコンクリートによる護岸ブロックを用いた護岸作りがなされてきている。
【０００３】
また、その一方で、従来からコンクリートブロックを用いた漁礁がある。これは、上記の河川整備と基本的な思想が相違するものではあるが、動植物の生息・育成という観点から見れば一致するものである。
【０００４】
このコンクリートブロックを用いた漁礁は、例えば、前後に離間する前壁及び後壁と、左右方向に離間してこの前後の壁を接続する複数の側壁とからなると共に、上下の両面を平行にし、前後の壁と一対の側壁とで囲まれる空間の下部を閉じてポット部とし、各側壁の上面に側壁の両側に凹溝で連通する凹部を設け、また、下面で、かつ積み重ねた状態で上記上面側の凹部に対向する位置に凹部を設け、この下面側の凹部の相互を凹溝で連通し、さらに上下面に設けた各凹部を凹溝にて前側へ連通した構成になっているものがある（例えば、特許文献１参照）。
【０００５】
【特許文献１】
特開２００３−３４９２１号公報  （第２頁、第１図）
【０００６】
【発明が解決しようとする課題】
しかしながら、この上記した護岸ブロックによる施工は、施工現場で発生した石、土砂などの建設副産物等を再利用することは想定しておらず、動植物の生息・育成に配慮した多自然型川づくりのために、他の場所の環境を害している虞がある。
しかも、ポーラスコンクリートを用いた場合、旧来の略直方体状を呈したブロックより圧縮強度が低い。そのため、十分なポーラス（多孔構造）を形成維持させるには段数（積み重ね）におのずと制限が生じてしまう。また、略直方体状を呈した旧来のブロックでは、植物や小動物、微生物などの生物が生息する環境とは言いがたい。
【０００７】
さらに、従来のコンクリートブロックを用いた漁礁は、小型の魚介類の棲家や隠れ家を提供できると思われるが、その形状が複雑であるため、型枠も分割した大掛かりなものとなり製造コストに問題が生じる。もっとも、河川整備をも視野に入れていないため、凹凸のある外観形状は河川整備には適さない。
【０００８】
そこで本発明は、護岸ブロックや整備ブロック、漁礁としても適用でき、しかも、強度を確保しつつ低コストで製造できる上に、施工現場で発生した石、土砂などの建設副産物等を再利用可能として、全体的な自然環境にも貢献できる生物生息空間を有するブロックとそのブロックを用いたブロック壁構造を提供することを目的とする。
【０００９】
【課題を解決するための手段】
上記課題を解決するために本発明にかかる生物生息空間を有するブロック及びそのブロックを用いたブロック壁構造は、下記の技術的手段を講じた。
【００１０】
すなわち、請求項１の発明の要旨は、上面に生物生息可能な口部が凹設されると共に底面が該上面の縁部と載承関係に平面状に形成されて、千鳥配列状に積み重ね可能に構成されたことを特徴とする生物生息空間を有するブロックに存する。
【００１１】
請求項２の発明の要旨は、縦断面視略Ｖ字状に形成されたことを特徴とする請求項１記載の生物生息空間を有するブロックに存する。
【００１２】
請求項３の発明の要旨は、前記略Ｖ字状を形成する構成壁と直交する側壁の一方を開口して平面視略コ字状に形成したことを特徴とする請求項２記載の生物生息空間を有するブロックに存する。
【００１３】
請求項４の発明の要旨は、前記構成壁の中途部を上面から切り欠くように凹部を形成したことを特徴とする請求項３記載の生物生息空間を有するブロックに存する。
【００１４】
請求項５の発明の要旨は、前記略Ｖ字状を形成する構成壁と直交する両側壁を開口して平面視略ニ字状に形成したことを特徴とする請求項２記載の生物生息空間を有するブロックに存する。
【００１５】
請求項６の発明の要旨は、縦断面視略コ字状に形成されたことを特徴とする請求項１記載の生物生息空間を有するブロックに存する。
【００１６】
請求項７の発明の要旨は、前記略コ字状を形成する構成壁と直交する側壁の一方を開口して平面視略コ字状に形成したことを特徴とする請求項６記載の生物生息空間を有するブロックに存する。
【００１７】
請求項８の発明の要旨は、前記略コ字状を形成する構成壁と直交する両側壁を開口して平面視略ニ字状に形成したことを特徴とする請求項６記載の生物生息空間を有するブロックに存する。
【００１８】
請求項９の発明の要旨は、生物生息可能な口部が凹設され、底面が該上面の縁部と載承関係に平面状に形成されると共に縦断面視略Ｌ字状に形成されたことを特徴とする生物生息空間を有するブロックに存する。
【００１９】
請求項１０の発明の要旨は、前記略Ｌ字状を形成する構成壁と直交する側壁の一方を開口して平面視略Ｌ字状に形成したことを特徴とする請求項９記載の生物生息空間を有するブロック。
【００２０】
請求項１１の発明の要旨は、前記開口した一方の側壁と対向する他方の側壁に、該口部内と連通する連通孔を設けたことを特徴とする請求項３、７、１０のいずれか記載の生物生息空間を有するブロックに存する。
【００２１】
請求項１２の発明の要旨は、普通コンクリートで構成されていることを特徴とする請求項１〜１１のいずれか記載の生物生息空間を有するブロックに存する。
【００２２】
請求項１３の発明の要旨は、前記口部内に間隙形成可能な骨部材を充填してなることを特徴とする請求項１〜１２のいずれかに記載の生物生息空間を有するブロックに存する。
【００２３】
請求項１４の発明の要旨は、前記口部内に骨部材を充填して形成された間隙は、該口部内上部から下部に向って小さく形成されていることを特徴とする請求項１３に記載の生物生息空間を有するブロックに存する。
【００２４】
請求項１５の発明の要旨は、前記口部内に骨部材を充填して形成された間隙は、該口部内上部から下部に向って大きく形成されていることを特徴とする請求項１３に記載の生物生息空間を有するブロックに存する。
【００２５】
請求項１６の発明の要旨は、請求項１〜１５のいずれか記載の生物生息空間を有するブロックを適宜おりまぜて、前記生物生息空間を有するブロック同士間に空間部が適宜形成されるように千鳥配列状に積み重ね構築されたことを特徴とするブロック壁構造に存する。
【００２６】
請求項１７の発明の要旨は、前記骨部材を土砂などの植物生息可能な部材にし、該骨部材を請求項４記載の生物生息空間を有するブロックの前記口部内と前記凹部内に充填して、河川や湖沼、海などの水面上に該ブロックを位置させて植物の植生域としたと共に、水面下に位置させた前記生物生息空間を有するブロックを魚類などの水生生物の生息域とした護岸用に構成したことを特徴とする請求項１６記載のブロック壁構造に存する。
【００２７】
【発明の実施の形態】
次に、本発明の実施形態を図面に基づいて説明する。
本実施形態における生物生息空間を有するブロックは、海底に沈めて小魚や小海老類、アミ類等の海洋小生物の「住居」となる漁礁や、河川若しくは海の沿岸等の動植物の生息・育成に配慮した護岸ブロック、さらに道路脇の法面等に敷設する整備ブロックに適用できる極めて好適なものを例示している。
【００２８】
本実施形態にかかる生物生息空間を有するブロックは、粗骨材、練り混ぜ水、セメント、混和材料（混和材、混和剤）を調整して練り上げ、固化させた普通コンクリートからなり、ブロック夫々の実施形態は、外観形状のみが異なっている。
【００２９】
（実施形態１）
実施形態１にかかる生物生息空間を有するブロックは、図１（ａ）に示すように、上面に口部１０１が凹設されて、その外観形状が略Ｖ字状に形成され、この略Ｖ字状を形成する側壁１０２上面のそれぞれの縁部１０３の幅は、平面状に形成された底面１０４と縁部１０３とが載承関係となるように、底面１０４の幅の略半分となっており、複数の該ブロックを千鳥配列状に積み重ね可能になっている。
【００３０】
この上記した口部１０１内に形成された空間領域は、施工現場に応じて、石、土砂、粗栗、礫などの現地発生材や、砕石、ポーラスコンクリート等の中詰材等の骨部材ａが充填可能になっている。なお、必ずしも骨部材ａを充填しなくても良いものである。
【００３１】
また実施形態１の外観形状を略維持した他の態様としては、図１（ｂ）に示すように、上面に他の生物生息空間を有するブロックを載置させる台座部１０５を設けたものや、図１（ｃ）に示すように、略Ｖ字状を形成する側壁１０２と直交する側壁の外側を、外面に露出するように石等の化粧部材１０７を埋め込んで化粧壁１０６とし、口部１０１内と連通する生物連絡用、または海水や淡水の連絡用の連通孔１０８を設けたもの、あるいはこの台座部１０５、連通孔１０８、化粧壁１０６とを、適宜組み合わせたもの等があげられる。なお、共通する他の構成は同一符号を付しておく。
【００３２】
（実施形態２）
実施形態２にかかる生物生息空間を有するブロックは、図２（ａ）に示すように、実施形態１にかかる生物生息空間を有するブロックの略Ｖ字状を形成する側壁１０２と直交する側壁２０１の一方を開口して、平面視略コ字状に形成した例で、共通する他の構成は実施形態１にかかる生物生息空間を有するブロックと同一符号を付して他の説明は省略する。
【００３３】
また、この外観形状を略維持した他の態様としては、図２（ｂ）に示すように、上面に他の生物生息空間を有するブロックを載置させる台座部２０２を設けたものや、図２（ｃ）に示すように、略Ｖ字状を形成する側壁１０２と直交する一方の側壁の外側を、外面に露出するように石等の化粧部材２０３を埋め込んで化粧壁２０４とし、口部１０１内と連通する生物連絡用、または海水や淡水の連絡用の連通孔２０５を設けたもの、あるいはこの台座部２０２、連通孔２０５、化粧壁２０４とを、適宜組み合わせたもの等があげられる。なお、共通する他の構成は同一符号を付しておく。
【００３４】
（実施形態３）
実施形態３にかかる生物生息空間を有するブロックは、図３（ａ）に示すように、実施形態１にかかる生物生息空間を有するブロック１の略Ｖ字状を形成する側壁１０２と直交する両側壁を開口して平面視略ニ字状に形成したもので、共通する他の構成は実施形態１にかかる生物生息空間を有するブロック１と同一符号を付して他の説明は省略する。
【００３５】
また、この外観形状を略維持した他の態様としては、図３（ｂ）に示すように、上面に他の生物生息空間を有するブロックを載置させる台座部３０１を設けたものがあげられる。
【００３６】
（実施形態４）
実施形態４にかかる生物生息空間を有するブロックは、図４（ａ）に示すように、上面に口部４０１が凹設され縦断面視略コ字状、かつ、平面視略コ字状に形成されており、千鳥配列状に積み重ね可能になっている。
【００３７】
また、この外観形状を略維持した他の態様としては、図４（ｂ）に示すように、上面に他の生物生息空間を有するブロックを載置させる台座部４０３を設けたものや、図４（ｃ）に示すように、縦断面視略コ字状を形成する側壁４０２と直交する一方の側壁の外側を、外面に露出するように石等の化粧部材４０４を埋め込んで化粧壁４０５とし、口部４０１内と連通する生物連絡用、または海水や淡水の連絡用の連通孔４０６を設けたもの、あるいはこの台座部４０３、連通孔４０６、化粧壁４０５とを、適宜組み合わせたもの等があげられる。なお、共通する他の構成は同一符号を付しておく。
【００３８】
（実施形態５）
実施形態５にかかる生物生息空間を有するブロックは、図５（ａ）に示すように、上面に口部５０１が凹設され縦断面視略コ字状、かつ、平面視略ニ字状に形成されており、千鳥配列状に積み重ね可能になっている。
【００３９】
また、この外観形状を略維持した他の態様としては、図５（ｂ）に示すように、上面に他の生物生息空間を有するブロックを載置させる台座部５０２を設けたものがあげられる。なお、共通する他の構成は同一符号を付しておく。
【００４０】
（実施形態６）
実施形態６にかかる生物生息空間を有するブロックは、図６（ａ）に示すように、縦断面視略Ｌ字状、かつ、平面視略Ｌ字状に形成されており、他の実施形態のブロックを用いて千鳥配列状に積み重ねてブロック壁構造を構築した際に、各段数の夫々の側端部が揃うような所要の横幅の側壁６０１でもって形成されている。すなわち、他の実施形態の生物生息空間を有するブロックの横幅を”１”としたら、実施形態６にかかる生物生息空間を有するブロックは、その１／２の横幅でもって形成されており、千鳥配列による側端部の凹凸を、本実施形態のブロック用いることで修正させるようになっている。
【００４１】
また、この外観形状を略維持した他の態様としては、図６（ｂ）に示すように、上面に他の生物生息空間を有するブロックを載置させる台座部６０２を設けたものや、図６（ｃ）に示すように、略Ｖ字状を形成する側壁と直交する一方の側壁の外側を、外面に露出するように石等の化粧部材を埋め込んで化粧壁６０３とし、口部内と連通する生物連絡用または海水や淡水の連絡用の連通孔６０４を設けたもの、あるいはこの台座部６０２、連通孔６０４、化粧壁６０３と適宜組み合わせたもの等があげられる。なお、共通する他の構成は同一符号を付しておく。
【００４２】
（実施形態７）
実施形態７にかかる生物生息空間を有するブロックは、図７に示すように、実施形態２にかかる生物生息空間を有するブロックの略Ｖ字状を形成する構成壁１０２の中途部を上面から切り欠くような凹部７０１を設けた例である。
この実施形態７にかかる生物生息空間を有するブロックは、土砂などの植物生息可能な部材を骨部材ａとし、凹部７０１が埋まるように口部１０１と凹部７０１にその骨部材ａを充填し連設することで、ブロックの強度を持たせつつ、連続した土砂面を形成させて、植物の植生域とさせるのに好適な外観形状になっている。
【００４３】
すなわち、この凹部７０１を設けた実施形態７にかかる生物生息空間を有するブロックを、例えば、河川の水面上から突出するように岸壁に連設することで、ウリカワ、サンカクイ、オモダカ等の湿性植物や、ヨシ、マコモ等の抽水植物の地下茎が、この凹部７０１を介して生長することができ、自然景観を維持することができる。なお、このブロックを海底等に沈めることで魚類生息空間、すなわち魚礁としても好適である。
【００４４】
（実施形態８）
実施形態５にかかる生物生息空間を有するブロックは、図８（ａ）に示すように、略Ｖ字状を形成する側壁８０２と直交する両側壁８０１を略コ字状にして底面８０３の面積を多くして設置安定度を向上させたもので、該ブロックを、接地面ｆに接する最下段として用いれば、該ブロックを用いた構築物が安定支持されることから好ましいものである。
【００４５】
以上、本実施形態にかかる生物生息空間を有するブロックを説明したが、図８（ｂ）に示すように、底面にも外部と連通した連通孔ｂを適宜設けたり、縁部に切欠部を設けたりすることは任意である。
【００４６】
さらに、実施形態４で例示した本実施形態にかかる生物生息空間を有するブロックは、平面視略コ字状に形成されているが、平面視略ロ字状、すなわち、升状に形成しても良く、また、実施形態４で例示した本実施形態にかかる生物生息空間を有するブロックの平面視略Ｌ字状に形成されているが、平面視略コ字状、略ロ字状にしても良い。
【００４７】
なお、平面視略コ字状に代えた場合、外観形状は実施形態４と相似となるが、上述したように実施形態４を含む他の実施形態にかかる生物生息空間を有するブロックの１／２の横幅でもって形成されて、千鳥配列による側端部の凹凸を修正させるためのブロックとなる。
【００４８】
次に、これらの本実施形態にかかる生物生息空間を有するブロックを用いた施工手順を説明する。
まず、海底、河川若しくは海の沿岸、道路脇の法面等の施工現場（施工面）の地形に応じて、本実施形態にかかる生物生息空間を有するブロック同士の重ね合わせ位置を決定してから、積み重ね作業を開始する。
【００４９】
図９は、該ブロックの設置面ｆが平坦状で洗堀問題が発生しない場合の構築例を例示している。この場合、設置面ｆが十分な平坦状が最初から確保されているときは、そのまま積み重ね作業を行うが、設置面ｆが荒れていた場合は、平坦状に均す作業を行ってから積み重ね作業を行う。
【００５０】
図１０は、施工現場の法面ｇを生かした構築例を例示している。
この場合、法面ｇに沿うように法面ｇの傾斜角度でもって積み重ね作業を行うが、該ブロックと法面ｇとの間に空間部ｃが形成されてしまうため、骨部材６でこの空間部ｃを埋めながら積み重ね作業を行う。
このとき、実施形態１と６を除いた、所謂、側壁が開口しているタイプの生物生息空間を有するブロックを、開口部側が法面ｇ側となるように積み重ね、口部１０１内と空間部ｃとに連続して骨部材ａを充填することで強固な構築となることから好ましいものである。
【００５１】
図１１は、法面ｇを形成した構築例を例示している。この場合、施工現場が垂直面や法面の場合、該ブロックの高さに基づいた階段状に掘削して設置面ｆを形成してから、あるいは形成しながら、積み重ね作業を行う。あらたに法面ｇを構築する本例は、該ブロックと垂直面ｈとの間に空間部ｃが形成されないように積み重ね作業を行ったり、該ブロックと垂直面ｈとの間に空間部ｃを形成し、実施形態１と６を除いた、所謂、側壁が開口しているタイプの生物生息空間を有するブロックを用いて、口部内とこの空間部ｃに連続して骨部材を充填しながら積み重ね作業を行っても良い。
【００５２】
この上記した該ブロック１〜４の積み重ね配列は、通常、千鳥配列による積み重ねを行うが、図１２（ａ）に例示したように、設置面ｆに接する最下段の該ブロックを実施形態１のブロックとし、そのブロックを天地反転して底面１０４を上にし、その底面１０４と隣接する上段の該ブロックの底面１０４とが一致するように積み重ね、さらに、その上位の該ブロックは千鳥配列に積み重ねる。このように設置面ｆに接する最下段の該ブロックを天地反転することで、設置面ｆとの設置幅が広くなり安定性が向上する。
【００５３】
また、図１２（ｂ）に例示したように、略Ｖ字状を形成する側壁８０２と直交する両側壁８０１を矩形状して側面視略矩形状に形成したブロック（図８（ａ）参照）を、設置面ｆに接する最下段の該ブロックとして用い、その上位の該ブロックを千鳥配列に積み重ねて、構築物が安定支持するように配列しても良い。
【００５４】
次に、洗堀問題の発生が懸念される施工現場の施工手順を図１３を用いて説明する。
まず、設置面ｆを、傾斜面を有した平面状に所要幅掘削し、吸出防止材ｄを掘削面に敷設する。
そして、その上に砕石ｅを敷き詰めると共に、本実施形態にかかる該ブロック１〜５を支持する断面視略Ｌ字状の底板ブロックｋを砕石ｅ上面に埋設する。
【００５５】
このようにして、該ブロックの載承面を形成したら、底板ブロック上に該ブロックを千鳥配列となるように積み重ねる。
積み重ね作業が終了したら、該ブロックの幅（図１３おいて左右方向の幅）分、現場発生材である石や搬入した砕石などで、該ブロックを抑え込むように捨石ｍをして作業が終了する。
【００５６】
このような施工を行うことで、設置面ｆが侵食されることを防ぎ、接地面ｆを安定させて該ブロックを用いたブロック構築物を，長期に亘って維持することができる。
【００５７】
（実施形態９）
次に、本実施形態にかかるブロックを用いたブロック壁構造の構築例を図１４を参照しながら説明する。この構築例は、河川における護岸壁としたものである。
図１４に示すように、図１（ｃ）で例示したブロックを、その口部１０１が水面より上位となるように、本実施形態にかかるブロック（台座部タイプを除き、化粧壁タイプを含む）を適宜織り交ぜながら千鳥配列となるように積み重ねられて構築されている。
この最上段のブロックには、植物が植生可能な土砂などの骨材を充填すると共に、連通孔１０８を介して川水等がブロック内に進入し骨材ａを湿らせて植生状態が確保される。
【００５８】
水面より下位の該ブロック間に形成された空隙部ｓは、大型から小型の魚類の生息空間と底生生物などの生息空間となり、また、水面ｗより上位の該ブロックは、主に植物や藻類等の生息空間となる。なお、台座部タイプで構築する場合は、高さを揃えるため、全て台座部を有したブロックを用いる。
【００５９】
このとき、図示したように、口部１０１内に骨部材ａを充填して形成される間隙が口部１０１内上部から下部に向って小さく形成されるように、口部１０１内底部を土砂にし口部１０１内上部に向って大き目の石等を充填して、魚類生息優先のブロックを構成したり、その逆に、口部１０１内に骨部材ａを充填して形成される間隙が口部１０１内上部から下部に向って大きく形成されるように、口部１０１内底部を大き目の石等にし、口部１０１内上部に向って土砂を充填して、底生生物生息優先、植生優先のブロックを構成して、水面ｗより上位は、底生生物生息優先、植生優先のブロックに、水面ｗより下位は魚類生息優先の該ブロックを主として適宜織り交ぜ構築することが極めて好適である。
【００６０】
（実施形態１０）
さらに、他のブロック壁構造の構築例を図１５及び図１６を参照しながら説明する。この構築例も実施形態９と同様に、河川における護岸壁としたものである。
図１５及び図１６に示すように、図７で例示したブロックを、そのほとんどが水面より上位となるように、本実施形態にかかるブロックを適宜織り交ぜながら千鳥配列となるように積み重ねられて構築されている。
この最上段のブロックには、植物が植生可能な土砂などの骨材ａを充填すると共に、河川の水や雨水等が骨材ａを湿らせて植生状態が確保される。
【００６１】
また、設置面と接する最下段のブロックを、設置幅が広い図４（ｂ）で例示したブロックを用いて、安定した設置が行われている。
この千鳥配列状にブロックを積み重ねたことによって形成される側端部の凹凸は、図１６に示すように、図６（ｂ）で例示したブロックを介在させることで修正される。
【００６２】
水面より下位の該ブロック間に形成された空隙部ｓは、実施形態９と同様に、大型から小型の魚類の生息空間と底生生物などの生息空間となり、また、水面ｗより上位の該ブロックは、植物の生息空間となる。
特に凹部７０１を設けた実施形態７にかかる生物生息空間を有するブロックを、水面上から突出するように最上段に連設したことで、湿性植物や抽水植物の生長が好適となり、多自然型川づくりに極めて好適なブロック壁構造となっている。
【００６３】
以上、本実施形態にかかる生物生息空間を有するブロック及びそのブロックを用いたブロック壁構造を説明したが、上述した実施形態は、本発明の好適な実施形態の一例を示すものであり、本発明はそれに限定されるものではなく、その要旨を逸脱しない範囲内において、種々変形実施が可能である。
【００６４】
なお、本実施形態にかかる生物生息空間を有するブロックを漁礁として用いる場合は、魚類生息優先の該ブロックで構成し、道路脇の法面等に敷設する整備ブロックとして用いる場合は、底生生物生息優先、植生優先の該ブロックで構築することが好ましい。
【００６５】
【発明の効果】
本発明によれば、ブロックの外観形状を上面に口部を凹設した簡単な形状にしたから、強度を確保しつつ、低コストで生産でき、護岸ブロックや整備ブロック、漁礁として適用できる。
また、上面に凹設した口部に、施工現場で発生する、石、土砂、粗栗、礫などの骨部材（建設副産物等）充填することで、かかる建設副産物等を再利用することができる。
【００６６】
しかも、底面が該上面の縁部と載承関係に平面状に形成して千鳥配列状に積み重ね可能に構成したから、一体的なブロック構築ができる。
さらに普通コンクリートで構成することで、より強固なブロック構築をすることができる。
【００６７】
外観形状の異なる生物生息空間を有するブロックを適宜おりまぜて、ブロック同士間に空間部が適宜形成されるように千鳥配列状に積み重ね構築することで、河川や海など施工した場合に、この空隙部と夫々のブロックに形成された口部内に、魚類や底生生物などが生息することができる。
【００６８】
また、口部内に骨部材を充填して形成される間隙が口部内上部から下部に向って小さく形成されるように、例えば、口部内底部を土や砂にし口部内上部に向って大き目の石等を充填することで魚類生息優先のブロックを構成し、その逆に、口部内に骨部材を充填して形成される間隙が口部内上部から下部に向って大きく形成されるように、例えば、口部内底部を大き目の石等にし、口部内上部に向って土や砂を充填して、底生生物生息優先、植生優先のブロックを構成し、水面を境にしてこれらのブロックでブロック壁を構築することで、動植物の生息・育成に配慮したブロック壁構造が提供できる。
【００６９】
さらに、構成壁の中途部を上面から切り欠くように凹部を形成したブロックを水面から突出するように最上段に位置させ、その口部と凹部に植物を植生させる土砂を充填することで、植物の生長が極めて良好なブロック壁構造が提供できる。このようなブロック壁構造でもって、河川整備を行うことにより、動植物の生息・育成に極めて配慮した多自然型川づくりに貢献できる。
【図面の簡単な説明】
【図１】実施形態１にかかる生物生息空間を有するブロックの斜視図であり、
（ａ）基本タイプを示す。
（ｂ）台座部タイプを示す。
（ｃ）化粧壁タイプを示す。
【図２】実施形態２にかかる生物生息空間を有するブロックの斜視図であり、
（ａ）基本タイプを示す。
（ｂ）台座部タイプを示す。
（ｃ）化粧壁タイプを示す。
【図３】実施形態３にかかる生物生息空間を有するブロックの斜視図であり、
（ａ）基本タイプを示す。
（ｂ）台座部タイプを示す。
【図４】実施形態４にかかる生物生息空間を有するブロックの斜視図であり、
（ａ）基本タイプを示す。
（ｂ）台座部タイプを示す。
（ｃ）化粧壁タイプを示す。
【図５】実施形態５にかかる生物生息空間を有するブロックの斜視図であり、
（ａ）基本タイプを示す。
（ｂ）台座部タイプを示す。
【図６】実施形態６にかかる生物生息空間を有するブロックの斜視図であり、
（ａ）基本タイプを示す。
（ｂ）台座部タイプを示す。
（ｃ）化粧壁タイプを示す。
【図７】実施形態７にかかる生物生息空間を有するブロックの斜視図である。
【図８】（ａ）実施形態５にかかる生物生息空間を有するブロックの正面図である。
（ｂ）本実施形態にかかる生物生息空間を有するブロックの他の態様の平面図である。
【図９】本実施形態にかかる生物生息空間を有するブロックの構築例を示した説明図その１である。
【図１０】本実施形態にかかる生物生息空間を有するブロックの構築例を示した説明図その２である。
【図１１】本実施形態にかかる生物生息空間を有するブロックの構築例を示した説明図その３である。
【図１２】（ａ）本実施形態にかかる生物生息空間を有するブロックの構築例を示した説明図その４である。
（ｂ）本実施形態にかかる生物生息空間を有するブロックの構築例を示した説明図その５である。
【図１３】本実施形態にかかる生物生息空間を有するブロックの構築例を示した説明図その６である。
【図１４】実施形態９にかかるブロック壁構造の正面図である。
【図１５】実施形態１０にかかるブロック壁構造の斜視図である。
【図１６】実施形態１０にかかるブロック壁構造の正面図である。
【符号の説明】
１０１  口部
１０２  側壁
１０３  縁部
１０４  底面
１０８、２０５…、  連通孔
１０５  ２０２…、  台座部
１０６  ２０４…、  化粧壁
ａ  骨部材
ｆ  設置面
【図１】
2004324373.tif 000003
【図２】
2004324373.tif 000004
【図３】
2004324373.tif 000005
【図４】
2004324373.tif 000006
【図５】
2004324373.tif 000007
【図６】
2004324373.tif 000008
【図７】
2004324373.tif 000009
【図８】
2004324373.tif 000010
【図９】
2004324373.tif 000011
【図１０】
2004324373.tif 000012
【図１１】
2004324373.tif 000013
【図１２】
2004324373.tif 000014
【図１３】
2004324373.tif 000015
【図１４】
2004324373.tif 000016
【図１５】
2004324373.tif 000017
【図１６】
2004324373.tif 000018